(57)【要約】      （修正有）【課題】１台の機器で複数の機器の役割を有するストレージ装置およびストレージ装置のプログラムを提供する。【解決手段】ストレージ装置１００は、ＨＤＤおよび仮想ＣＤ−Ｒ、仮想ＤＶＤ−ＲＷを収容し、第１面および第２面を有する筐体からなる。また、姿勢測定部２１０により筐体の第１面および第２面のうちいずれか一方が底面か否かが判定される。その結果、良好な操作性を有するストレージ装置１００を得ることができる。【選択図】図３
2014127214.tif 000002
【特許請求の範囲】
【請求項１】
処理装置に接続されるストレージ装置であって、
第１機能を有する第１機能部と、
前記第１機能と異なる第２機能を有する第２機能部と、
前記第１機能部および前記第２機能部を収容し、第１面および第２面を有する筐体と、
前記筐体の第１面および第２面のうちいずれか一方が底面か否かを判定する判定部と、を含み、
前記第１面が底面と判定された場合に、前記第１機能部を駆動させ前記処理装置と接続された場合に、第１機器となり、
前記第２面が底面と判定された場合に、前記第２機能部を駆動させ前記処理装置と接続された場合に、第２機器となることを特徴とするストレージ装置。
【請求項２】
処理装置に接続されるストレージ装置であって、
第１面および第２面を有する筐体と、
第１処理を行なう第１処理部と、
前記第１処理と異なる第２処理を行なう第２処理部と、
前記筐体の第１面および第２面のうちいずれか一方が底面か否かを判定する判定部と、
前記判定部からの判定結果に基づいて前記第１処理部と前記第２処理部とを切換える切換え部と、を含み、
前記切換え部により前記処理装置に対して異なる機器となることを特徴とするストレージ装置。
【請求項３】
前記判定部は、
所定条件に基づいて前記判定を行なうことを特徴とする請求項１または２に記載のストレージ装置。
【請求項４】
前記判定部は、ジャイロセンサを含む、ことを特徴とする請求項１から３のいずれか1項に記載のストレージ装置。
【請求項５】
前記判定部は、赤外線センサを含む、ことを特徴とする請求項１から４のいずれか1項に記載のストレージ装置。
【請求項６】
前記判定部は、明暗センサを含む、ことを特徴とする請求項１から５のいずれか1項に記載のストレージ装置。
【請求項７】
前記判定部は、前記筐体から突出した物理的センサを含む、ことを特徴とする請求項１から６のいずれか1項に記載のストレージ装置。
【請求項８】
前記判定部の結果を表示する表示部をさらに含む、ことを特徴とする請求項１から７のいずれか1項に記載のストレージ装置。
【請求項９】
処理装置に接続されるストレージ装置で用いられるプログラムであって、
第１機能処理と、
前記第１機能処理と異なる第２機能処理と、
筐体の第１面および第２面のうちいずれか一方が底面か否かを判定する判定処理と、
前記判定処理により、前記第１面が底面と判定された場合に、前記第１機能処理により前記処理装置と接続された場合に、第１機器と認識させる第１認識処理と、
前記判定処理により、前記第２面が底面と判定された場合に、前記第２機能処理により前記処理装置と接続された場合に、第２機器と認識させる第２認識処理とを含む、ことを特徴とするストレージ装置のプログラム。
【請求項１０】
処理装置に接続されるストレージ装置で用いられるプログラムであって、
第１処理と、
前記第１処理と異なる第２処理と、
筐体の第１面および第２面のうちいずれか一方が底面か否かを判定する判定処理と、
前記判定処理の結果に基づいて前記第１処理と前記第２処理とを切換える切換え処理と、
前記処理装置に対して前記切換え処理の結果で異なる機器と認識させる認識処理とを含む、ことを特徴とするストレージ装置のプログラム。
【請求項１１】
前記判定処理は、所定条件に基づいて前記判定を行なうことを特徴とする請求項１０記載のストレージ装置のプログラム。
【発明の詳細な説明】
【技術分野】
【０００１】
本発明は、ストレージ装置、特に据置き型または携帯型のストレージ装置およびストレージ装置のプログラムに関する。
【背景技術】
【０００２】
従来から、ストレージ装置については、種々の研究開発が行なわれている。さらに、近年据置き型のみならず、携帯型となるような小型化が図られている。携帯できるものとしては、種々のものがあり、代表的には、携帯端末があげられる。
【０００３】
例えば、特許文献１（特開２００５−２１７６６８号）には、１つのカメラモジュールで複数の焦点距離を切換えて撮影することを可能とし、機能性を向上させるカメラを備える携帯端末装置について開示されている。
【０００４】
特許文献１（特開２００５−２１７６６８号）記載の携帯端末装置は、少なくとも表示部とカメラ部とを備える第一の筐体と、少なくとも操作部を備える第二の筐体とを連結部により連結し、上記第一の筐体の表示部を有する面を上記第二の筐体の操作部を有する面と同じ方向に向けた状態で上記第一の筐体が上記第二の筐体の操作部を有する面に対して回動するように構成して成り、上記第二の筐体の操作部を有する面と対向する上記第一の筐体の面には、上記第一の筐体と上記第二の筐体とのなす角度が０°及び１８０°以外の任意の位置において露出する上記カメラ部の撮像窓を備えるとともに、上記第一の筐体と上記第二の筐体とのなす角度が０°及び／又は１８０°の位置において上記撮像窓と対向する第二の筐体の部位に貫通孔を有し、該貫通孔内にレンズを具備することを特徴とするものである。
【０００５】
また、携帯しない据置きするものとして、例えば、特許文献２（特開２０１２−０９４００５号）には、表示状態を簡易に切換えることができるスケジュール管理装置について開示されている。
【０００６】
特許文献２（特開２０１２−０９４００５号）記載のスケジュール管理装置は、予定を表示するスケジュール管理装置であって、正面矩形状で薄板状に形成された筐体と、筐体の正面に位置する表示手段と、予定の件名及び開始日時が含まれる予定情報を記憶する記憶手段と、筐体の傾斜状態を検出する検出手段と、当該スケジュール管理装置を制御する制御手段と、を備え、制御手段は、表示手段に１月分の予定情報を表示させる月予定表示部と、表示手段に１日分の予定情報を表示させる日予定表示部と、検出手段の検出結果に基づいて、月予定表示部及び日予定表示部のいずれかを機能させる表示制御部と、を有するものである。
【先行技術文献】
【特許文献】
【０００７】
【特許文献１】特開２００５−２１７６６８号公報
【特許文献２】特開２０１２−０９４００５号公報
【発明の概要】
【発明が解決しようとする課題】
【０００８】
以上のように、携帯端末およびスケジュール管理装置のいずれにおいても、携帯端末のカメラは、カメラの機能を変化させており、スケジュール管理装置においては、表示の仕方を変更しているのみである。
したがって、携帯端末は、カメラ機能を変更しても携帯端末であることは変わらず、スケジュール管理装置も表示を変更してもスケジュール管理装置であることは、変わらない。
【０００９】
しかしながら、近年、情報処理装置の周辺機器が乱雑化している。そのため１台の機器に種々の機能が求められている。その反面、タブレット型端末も開発され、ストレージ装置についても携帯型が求められている。
【００１０】
本発明の目的は、１台の機器で複数の機器の役割を有するストレージ装置およびストレージ装置のプログラムを提供することである。
【課題を解決するための手段】
【００１１】
（１）
一局面に従うストレージ装置は、処理装置に接続されるストレージ装置であって、第１機能を有する第１機能部と、第１機能と異なる第２機能を有する第２機能部と、第１機能部および第２機能部を収容し、第１面および第２面を有する筐体と、筐体の第１面および第２面のうちいずれか一方が底面か否かを判定する判定部と、を含み、第１面が底面と判定された場合、第１機能部を駆動させ処理装置と接続された場合に、第１機器となり、第２面が底面と判定された場合、第２機能部を駆動させ処理装置と接続された場合に、第２機器となるものである。
【００１２】
ストレージ装置は、第１機能部および第２機能部を収容し、第１面および第２面を有する筐体からなる。また、判定部により筐体の第１面および第２面のうちいずれか一方が底面か否かが判定される。
第１面が底面と判定され、第１機能部を駆動し処理装置と接続された場合に、第１機器となり、第２面が底面と判定され、第２機能部を駆動し処理装置と接続された場合に、第２機器となる。
【００１３】
この場合、処理装置に対して第１機器および第２機器の異なる機器とすることができる。すなわち、１台の機器で複数の機器の役割を有することができる。
また、第１機器および第２機器とを切換えるため、ユーザが直接触って操作が必要なボタンスイッチ等をストレージ装置の筐体上に設ける必要がなくなる。また、携帯型ストレージ装置の場合、小型のボタンスイッチを設けた場合には、操作性の悪化が生じるが、ストレージ装置全体がボタンスイッチの役割を果たすため、操作性の悪化を防止できる。
なお、第１面および第２面は、平面、球面、曲面、湾曲面等、その他任意の面を有していればよい。
【００１４】
（２）
他の局面に従うストレージ装置は、処理装置に接続されるストレージ装置であって、第１面および第２面を有する筐体と、第１処理を行なう第１処理部と、第１処理と異なる第２処理を行なう第２処理部と、筐体の第１面および第２面のうちいずれか一方が底面か否かを判定する判定部と、判定部からの判定結果に基づいて第１処理部と第２処理部とを切換える切換え部と、を含み、切換え部により処理装置に対して異なる機器となるものである。
【００１５】
ストレージ装置は、第１処理部および第２処理部を収容し、第１面および第２面を有する筐体からなる。また、判定部により筐体の第１面および第２面のうちいずれか一方が底面か否かが判定される。さらに、判定部からの判定結果に基づいて切換え部により第１処理部と第２処理部とが切換えられる。
【００１６】
この場合、切換え部により処理装置に対して異なる機器とすることができる。すなわち、複数の機器を１台で集約することができる。
また、切換えるためユーザが直接触って操作が必要なボタンスイッチ等をストレージ装置の筐体上に設ける必要がなくなる。また、携帯型ストレージ装置の場合、小型のボタンスイッチを設けた場合には、操作性の悪化が生じるが、ストレージ装置全体がボタンスイッチの役割を果たすため、操作性の悪化を防止できる。
なお、第１面および第２面は、平面、球面、曲面、湾曲面等、その他任意の面を有していればよい。
【００１７】
（３）
第３の発明にかかるストレージ装置は、一局面または他の局面に従うストレージ装置において、判定部は、所定条件に基づいて判定を行なうものである。
【００１８】
この場合、判定部は、所定条件に基づいて判定を行なう。ここで、所定条件とは、時間条件、電源オンオフ条件、判定部の結果の変更条件などが挙げられる。
例えば、電源オンしてから一定の時間、月日時分秒等の単位で判定部による判定を行なってもよく、電源オンしてから常時、月日時分秒等の単位毎に判定部による判定を行なってもよい。
また、判定部による判定で、第１面、第２面への変更順序、変更タイミング等による判定を行なってもよい。
【００１９】
（４）
第４の発明にかかるストレージ装置は、一局面、他の局面に従う、または第３の発明にかかるストレージ装置において、判定部は、ジャイロセンサを含んでもよい。
【００２０】
この場合、判定部は、ジャイロセンサを含むので、ジャイロセンサの重力方向測定により第１面または第２面のいずれが底面であるかを判定することができる。
また、筐体に所定の衝撃を与えることにより、ジャイロセンサによる測定変化を判別することで、判定をおこなってもよい。具体的には、筐体を軽く指で叩くタイミングまたは方向をジャイロセンサにより判定させることができる。
【００２１】
（５）
第５の発明にかかるストレージ装置は、一局面、他の局面に従う、第３または第４の発明にかかるストレージ装置において、判定部は、赤外線センサを含んでもよい。
【００２２】
この場合、判定部は、赤外線センサからなるので、底面は、必ず反射を有することから第１面または第２面のいずれが底面であるかを判定することができる。
また、反射板等を用いて一個の赤外線センサにより多数面の判定を行なうことができる。
【００２３】
（６）
第６の発明にかかるストレージ装置は、一局面、他の局面に従う、第３、第４または第５の発明にかかるストレージ装置において、判定部は、明暗センサを含んでもよい。
【００２４】
この場合、判定部は、明暗センサからなり、底面は必ず暗くなるので、第１面または第２面のいずれが底面であるかを判定することができる。
【００２５】
（７）
第７の発明にかかるストレージ装置は、一局面、他の局面に従う、第３、第４、第５または第６の発明にかかるストレージ装置において、判定部は、筐体から突出した物理的センサを含んでもよい。
【００２６】
この場合、判定部は、物理的センサからなり、底面と自然に、かつ確実に接触するので、第１面または第２面のいずれが底面であるかを判定することができる。
【００２７】
（８）
第８の発明にかかるストレージ装置は、一局面、他の局面に従う、第３乃至第７の発明にかかるストレージ装置において、判定部の結果を表示する表示部をさらに含んでもよい。
【００２８】
この場合、表示部は、判定部の結果を表示することができる。また、第１面が底面の場合、第２面が底面の場合、いずれの場合であっても、表示部の表示上下をかえることにより、対応することができる。
【００２９】
（９）
他の局面に従うストレージ装置のプログラムは、処理装置に接続されるストレージ装置で用いられるプログラムであって、第１機能処理と、第１機能処理と異なる第２機能処理と、筐体の第１面および第２面のうちいずれか一方が底面か否かを判定する判定処理と、判定処理により、第１面が底面と判定された場合に、第１機能処理により処理装置と接続された場合に、第１機器と認識させる第１認識処理と、判定処理により、第２面が底面と判定された場合に、第２機能処理により処理装置と接続された場合に、第２機器と認識させる第２認識処理とを含むものである。
【００３０】
ストレージ装置のプログラムは、第１機能処理と、第１機能処理と異なる第２機能処理とを有する。また、判定処理により、筐体の第１面および第２面のうちいずれか一方が底面か否かが判定される。判定処理により、第１面が底面と判定された場合に、第１機能処理を行い処理装置と接続された場合に、第１認識処理により、第１機器と認識させ、判定処理により、第２面が底面と判定された場合に、第２機能処理を行い処理装置と接続された場合に、第２認識処理により第２機器と認識させる。
【００３１】
この場合、処理装置に対して第１機器および第２機器の異なる機器とすることができる。また、第１機器および第２機器とを切換えるため、ユーザが直接触って操作が必要なボタンスイッチ等をストレージ装置の筐体上に設ける必要がなくなる。また、携帯型ストレージ装置の場合、小型のボタンスイッチを設けた場合には、操作性の悪化が生じるが、ストレージ装置全体がボタンスイッチの役割を果たすため、操作性の悪化を防止できる。
【００３２】
（１０）
他の局面に従うストレージ装置のプログラムは、処理装置に接続されるストレージ装置で用いられるプログラムであって、第１処理と、第１処理と異なる第２処理と、筐体の第１面および第２面のうちいずれか一方が底面か否かを判定する判定処理と、判定処理の結果に基づいて第１処理と第２処理とを切換える切換え処理と、処理装置に対して切換え処理の結果で異なる機器と認識させる認識処理とを含む、ものである。
【００３３】
ストレージ装置のプログラムは、第１処理と、第１処理と異なる第２処理とを有する。また、判定処理により、筐体の第１面および第２面のうちいずれか一方が底面か否かが判定される。判定処理の結果に基づいて切換え処理により第１処理と第２処理とが切換えられ、処理装置に対して切換え処理の結果で異なる機器と認識処理により認識させる。
【００３４】
この場合、処理装置に対して第１機器および第２機器の異なる機器とすることができる。また、第１機器および第２機器とを切換えるため、ユーザが直接触って操作が必要なボタンスイッチ等をストレージ装置の筐体上に設ける必要がなくなる。また、携帯型ストレージ装置の場合、小型のボタンスイッチを設けた場合には、操作性の悪化が生じるが、ストレージ装置全体がボタンスイッチの役割を果たすため、操作性の悪化を防止できる。
【００３５】
（１１）
第１１の発明にかかるストレージ装置のプログラムは、第１０の発明にかかるストレージ装置のプログラムにおいて、判定処理は、所定条件に基づいて判定を行なってもよい。
【００３６】
この場合、判定処理は、所定条件に基づいて判定を行なう。ここで、所定条件とは、時間条件、電源オンオフ条件、判定部の結果の変更条件などが挙げられる。
例えば、電源オンしてから一定の時間、月日時分秒等の単位で判定部による判定を行なってもよく、電源オンしてから常時、月日時分秒等の単位毎に判定部による判定を行なってもよい。
また、判定処理による判定で、第１面、第２面への変更順序、変更タイミング等による判定を行なってもよい。さらに、暗号解除（暗号化解除）による判定をおこなってもよい。
【発明の効果】
【００３７】
本発明のストレージ装置およびストレージ装置のプログラムによれば、複数の機器を１台で集約することができる。
【図面の簡単な説明】
【００３８】
【図１】本実施の形態にかかるストレージ装置の外観の一例を示す模式的斜視図である。
【図２】本実施の形態にかかるストレージ装置の外観の一例を示す模式的斜視図である。
【図３】図１および図２に示すストレージ装置の内部構成の一例を示す模式図である。
【図４】ストレージ装置における制御部のプログラムの一例を示すフローチャートである。
【図５】第１処理および第２処理の個々における表示装置の一例を示す模式図である。
【図６】ストレージ装置における制御部のプログラムの他の例を示すフローチャートである。
【図７】ストレージ装置の筐体の他の例を示す模式図である。
【図８】ストレージ装置の筐体の他の例を示す模式図である。
【図９】ストレージ装置の筐体の他の例を示す模式図である。
【図１０】他の姿勢測定部を説明するための模式的斜視図である。
【図１１】他の姿勢測定部を説明するための模式的斜視図である。
【発明を実施するための形態】
【００３９】
以下、図面を参照しつつ、本発明の実施の形態について説明する。以下の説明では、同一の構成には同一の符号を付してある。それらの名称および機能も同じである。したがって、それらについての詳細な説明は繰り返さない。
【００４０】
以下、本発明に係る一実施の形態について図面を用いて説明する。図１および図２は、本実施の形態にかかるストレージ装置１００の外観の一例を示す模式的斜視図である。
【００４１】
図１および図２に示すように、ストレージ装置１００は、立方体の筐体からなる。立方体の筐体は、第１面１１０および第２面１２０からなる。第１面１１０は、第２面１２０の面に対向した面からなる。
また、第１面１１０および第２面１２０の一端側には、表示部３００が配設されている。
【００４２】
本実施の形態において図１に示すように、第２面１２０が底面として配置される場合を、第１姿勢と呼び、図２に示すように、第１面１１０が底面として配置される場合を、第２姿勢と呼ぶ。
【００４３】
図１および図２に示すように、第１姿勢および第２姿勢の場合のいずれにおいても、後述するように、表示部３００は、読解可能な方向に記載される。
【００４４】
次いで、図３は、図１および図２に示すストレージ装置１００の内部構成の一例を示す模式図である。
【００４５】
図３に示すように、ストレージ装置１００は、制御部２００、姿勢測定部２１０、ハードディスクドライブ（以下、ＨＤＤと略記する）２２０、仮想ＣＤ−Ｒディスク（以下、仮想ＣＤ−Ｒと略記する）２３０、仮想ＤＶＤ−ＲＷディスク（以下、仮想ＤＶＤ−ＲＷと略記する）２４０を含む。
また、図１および図２に示したように、ストレージ装置１００には、表示部３００が取り付けられる。本実施の形態において表示部３００は、液晶表示からなる。
【００４６】
また、図３に示すように、ストレージ装置１００は、パーソナルコンピュータ（以下、ＰＣと呼ぶ）５００および表示装置５１０に接続して用いられる。
【００４７】
本実施の形態において、図３の姿勢測定部２１０は、ジャイロセンサからなる。すなわち、ジャイロセンサからなるので、重力方向を計測することができる。
したがって、制御部２００は、姿勢測定部２１０からの重力方向を測定し、第２面１２０が底面であると判定された場合には、第１姿勢と判定し、第１面１１０が底面と判定された場合には、第２姿勢と判定する。
また、制御部２００は、第１姿勢および第２姿勢のいずれか一方を判定し、表示部３００の表示方向を制御する。
【００４８】
続いて、図４は、ストレージ装置１００における制御部２００のプログラムの一例を示すフローチャートである。
【００４９】
図４に示すように、ストレージ装置１００の制御部２００は、まず、電源がオンされたか否かを判定する（ステップＳ１）。ここで、電源がオンされていない場合（ステップＳ１のＮｏ）、電源がオンされるまで、待機する。そして、電源がオンされた場合（ステップＳ１のＹｅｓ）、制御部２００は、姿勢測定部２１０による測定結果が第２面１２０を底面とした姿勢か否かを判定する（ステップＳ２）。
【００５０】
ここで、制御部２００は、第２面１２０が底面の姿勢であると判定した場合（ステップＳ２のＹｅｓ）には、制御部２００は、第１処理を行なう（ステップＳ３）。第１処理の詳細説明については後述する。
一方、第２面１２０が底面の姿勢でないと判定した場合（ステップＳ２のＮｏ）には、制御部２００は、第２処理を行なう（ステップＳ４）。第１処理と同様に、第２処理の詳細説明については後述する。
【００５１】
続いて、制御部２００は、電源オフされたか否かを判定する（ステップＳ５）。制御部２００は、電源オフされるまで、ステップＳ２から処理を繰り返す（ステップＳ５のＮｏ）。一方、電源オフされた場合には、処理を終了する（ステップＳ５のＹｅｓ）。
【００５２】
（第１処理および第２処理について）
ここで、第１処理および第２処理について説明を行なう。図５は、第１処理および第２処理の個々における表示装置５１０の一例を示す模式図である。
【００５３】
本実施の形態において、第１処理は、ＨＤＤ２２０および仮想ＣＤ−Ｒ２３０を駆動し、図５（ａ）に示すように、接続されたＰＣ５００からＨＤＤ２２０と仮想ＣＤ−Ｒ２３０、すなわちＣＤ−Ｒが表示装置５１０に表示されるよう処理が行なわれる。
【００５４】
一方、第２処理は、ＨＤＤ２２０および仮想ＤＶＤ−ＲＷ２４０を駆動し、図５（ｂ）に示すように、接続されたＰＣ５００からＨＤＤ２２０と仮想ＤＶＤ−ＲＷ２４０、すなわちＤＶＤ−ＲＷが表示装置５１０に表示されるよう処理が行なわれる。
これらの、第１処理および第２処理は、制御部２００の指示に基づいて処理される。
【００５５】
なお、本実施の形態においては、ストレージ装置１００において、立方体の第１面１１０および第２面１２０が底面となるか否かについて判定したが、これに限定されず、６面のいずれが底面となるか判定してもよい。
【００５６】
なお、本実施の形態においては、ＨＤＤ２２０と、仮想ＣＤ−Ｒ２３０と、仮想ＤＶＤ−ＲＷ２４０とをＰＣ５００の表示装置５１０に表示させるように処理することとしたが、これに限定されず、第３処理を設け、第１処理においてはＨＤＤ２２０のみ表示させ、第２処理においては仮想ＣＤ−Ｒ２３０のみ表示させ、第３処理においては、仮想ＤＶＤ−ＲＷ２４０のみ表示させてもよい。
【００５７】
なお、本実施の形態においては、仮想ＣＤ−Ｒ２３０および仮想ＤＶＤ−ＲＷ２４０を例示し、仮想的に異なるデバイスに見せかけることとしているが、これらの２種類に限定されず、異なる使用プロトコルを選択して見せかける、１つのインターフェイスコネクタを使用して異なるインターフェイスに見せかける、電源制御方法を切換えるなど、仮想的に異なる特徴を持つデバイス等に適用してもよい。
【００５８】
具体的には、第１面１１０が底面の第２姿勢の場合には、使用プロトコルとしてＵＳＢデバイス（Ｂｕｌｋ−Ｏｎｌｙ  ＴＲＡＮＳＦＥＲ）を用い、第２面１２０が底面の第１姿勢の場合には、使用プロトコルとしてＵＡＳＰ（ＵＳＢ  Ａｔｔａｃｈｅｄ  ＳＣＳＩ  Ｐｒｏｔｏｃｏｌ）対応デバイスを用いてもよい。
また、第１面１１０が底面の第２姿勢の場合には、インターフェイスとしてＵＳＢ２．０モードを用い、第２面１２０が底面の第１姿勢の場合には、インターフェイスとしてＵＳＢ３．０モードを用いてもよい。
【００５９】
さらに、第１面１１０が底面の第２姿勢の場合には、電源制御方法について消費電力を抑制したエコモードに切換え、第２面１２０が底面の第１姿勢の場合には、電源制御方法について速度重視の高速モードに切換えてもよい。
【００６０】
その他、記憶部の管理領域を切換えてもよい。例えば、使用するＨＤＤ２２０の使用領域を変更してもよく、ＬＵＮ変更してもよく、ＲＡＩＤ変更を行なってもよい。管理領域を変更することにより、ＯＳのブート対応を容易におこなうことができる。
例えば、使用領域の変更については、例えば、第１面１１０が上面のときは第１のパーティションを見せ、第２のパーティションは見えない状態にし、第１面１１０が下面のときは第２のパーティションを見せ、第１のパーティションを見せない状態にすることもできる。
また、通常ＢＩＯＳはＬＵＮ０をブートの対象とする。よって、ＬＵＮ変更は、ブートの対象とする領域にＬＵＮ０を割り当てるようにする。
例えば、領域を２分割したとき（それぞれをＨＤＤ１、ＨＤＤ２とする）に、第１面１１０が上面のときはＨＤＤ１がＬＵＮ０、ＨＤＤ２がＬＵＮ１とし、ＨＤＤ１をブートの対象とする。また、第１面１１０が下面のときはＨＤＤ２がＬＵＮ０、ＨＤＤ１がＬＵＮ１とし、ＨＤＤ２をブートの対象としてもよい。
【００６１】
（他の処理）
続いて、図６は、ストレージ装置１００における制御部２００のプログラムの他の例を示すフローチャートである。図６に示すフローチャートは、ストレージ装置１００の電源オンの状態である。
【００６２】
まず、図６に示すように、ストレージ装置１００の制御部２００は、姿勢測定部２１０からの信号を常時監視し、姿勢変更が行なわれたか否かを判定する（ステップＳ１１）。ここで、姿勢変更が行なわれていないと判定した場合（ステップＳ１１のＮｏ）、ステップＳ１１の処理を繰り返す。一方、姿勢変更が行なわれたと判定した場合（ステップＳ１１のＹｅｓ）、姿勢変更が所定の変更パターンか否かを判定する（ステップＳ１２）。
ここで、所定の変更パターンとは、例えば、第１面１１０、第２面１２０、第１面１１０、第２面１２０、第１面１１０と、繰り返しストレージ装置１００をひっくり返した場合など、所定の姿勢変更パターンを意味する。
なお、所定の変更パターンとして、ジャイロセンサを用いているので、第１面１１０を２回叩き、第２面１２０または他の面を１回叩くことによる振動方向を判定し所定の変更パターンとしてもよい。
【００６３】
ここで、制御部２００が所定の変更パターンでないと判定した場合（ステップＳ１２のＮｏ）、所定の時間待機し（ステップＳ１４）、ステップＳ１１から処理を繰り返す。
一方、制御部２００が、所定の変更パターンであると判定した場合（ステップＳ１２のＹｅｓ）、制御部２００は、所定の処理を実施する（ステップＳ１３）。
続いて、制御部２００は、表示部３００の表示を所定の処理に従い実施する（ステップＳ１５）。
【００６４】
（筐体の他の例）
続いて、図７、図８、図９は、ストレージ装置１００の筐体の他の例を示す模式図である。
図７に示すように、ストレージ装置１００ａは、正四面体からなってもよい。この場合、第１面１３１、第２面１３２、第３面１３３、第４面１３４の４種類の姿勢に応じてデバイスを切換えることができる。
また、図８に示すように、ストレージ装置１００ｂは、正１２面体からなってもよく、図９に示すように、ストレージ装置１００ｃは、正２０面体からなってもよい。なお、正多面体だけではなく、他の任意の面を有する形状からなってもよい。
【００６５】
（他の姿勢判定）
次いで、図１０および図１１は、他の姿勢測定部を説明するための模式的斜視図である。図１０に示すように、ストレージ装置１００ｄは、姿勢測定部２１０のジャイロセンサの代わりに赤外線センサ２１０ｄを用いた図である。この場合、１個の赤外線センサを分割し、いずれか一方の底面側からの赤外線の反射により姿勢を判定してもよい。
【００６６】
また、赤外線センサ２１０ｄの代わりに明暗センサを用いてもよい。例えば、明暗センサは、明暗センサを設けた面を机上等に置くことで遮光を行い、机と接した当該面が暗いと検出するものである。その結果、机と接している当該面が下面であるということを検出することができる。また、図１１に示すように、機械的なストレージ装置１００ｅから突出したスイッチ２１０ｅを設けてもよい。スイッチ２１０ｅは、突出して設けられているので、スイッチ２１０ｅが押された場合、通常の人の手による操作ではなく、スイッチ２１０ｅが設けられた面が自然と、下面であると検出することができる。
【００６７】
なお、本実施の形態においては、制御部２００の判定を電源オンの場合について説明したが、これに限定されず、ＰＣ５００に接続されたタイミングで判定を開始してもよく、常時一定時間ごとに判定を行なってもよく、その他任意のタイミングで判定を行なってもよい。
【００６８】
以上のように、本実施の形態にかかるストレージ装置１００は、ＰＣ５００に対して第１機器（ＨＤＤおよび仮想ＣＤ−Ｒ）および第２機器（ＨＤＤおよび仮想ＤＶＤ−ＲＷ）の異なる機器とすることができる。すなわち、複数の機器を１台で集約することができる。
また、第１機器（ＨＤＤおよび仮想ＣＤ−Ｒ）および第２機器（ＨＤＤおよび仮想ＤＶＤ−ＲＷ）とを切換えるため、ユーザが直接触って操作が必要なボタンスイッチ等をストレージ装置１００の筐体上に設ける必要がなくなる。また、携帯型ストレージ装置１００の場合、小型のボタンスイッチを設けた場合には、操作性の悪化が生じるが、ストレージ装置１００全体がボタンスイッチの役割を果たすため、操作性の悪化を防止できる。
【００６９】
また、姿勢測定部２１０は、時間条件、電源オンオフ条件、姿勢測定部２１０の結果の変更条件などの所定条件に基づいて判定を行なうので、ユーザの暗号システムとしても利用することができる。
【００７０】
さらに、本実施の形態においては、表示部３００は、姿勢測定部２１０の結果を表示することができる。また、第１面１１０が底面の場合、第２面１２０が底面の場合、いずれの場合であっても、表示部３００の表示上下をかえることにより、対応することができる。
【００７１】
本実施の形態においては、ＰＣ５００が処理装置に相当し、ストレージ装置１００,１００ａ,〜,１００ｅがストレージ装置に相当し、第１面１１０が第１面に相当し、第２面１２０が第２面に相当し、姿勢測定部２１０,２１０ｄ,２１０ｅが判定部に相当し、ＨＤＤ２２０および仮想ＣＤ−Ｒ２３０が第１機能部、第１処理部、第１認識処理および第１機器に相当し、ＨＤＤ２２０および仮想ＤＶＤ−ＲＷ２４０が第２機能部、第２処理部、第２認識処理および第２機器に相当し、制御部２００が切換え部および切換え処理に相当し、所定の姿勢変更パターン、暗号化解除および電源オンオフ等が所定条件に相当し、赤外線センサ２１０ｄが赤外線センサに相当し、スイッチ２１０ｅが物理的センサに相当し、表示部３００が表示部に相当し、図４および図６がストレージ装置のプログラムに相当する。
【００７２】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００７３】
１００,〜,１００ｅ  ストレージ装置
１１０  第１面
１２０  第２面
２００  制御部
２１０  姿勢測定部
２２０  ＨＤＤ
２３０  仮想ＣＤ−Ｒ
２４０  仮想ＤＶＤ−ＲＷ
３００  表示部
５００  ＰＣ
【図１】
2014127214.tif 000003
【図２】
2014127214.tif 000004
【図３】
2014127214.tif 000005
【図４】
2014127214.tif 000006
【図５】
2014127214.tif 000007
【図６】
2014127214.tif 000008
【図７】
2014127214.tif 000009
【図８】
2014127214.tif 000010
【図９】
2014127214.tif 000011
【図１０】
2014127214.tif 000012
【図１１】
2014127214.tif 000013